(57)【要約】      （修正有）【課題】立ったような姿勢に近いかたちを実現することにより腰への負担をより低減させる立ち作業椅子を提供する。【解決手段】想定される使用者が跨った状態で、股間及び／又は太腿の付け根の内側を支持する鞍部１０と、前記使用者の足の裏が設置面に着き、かつ、ひざが略伸びる高さに前記鞍部を設置面に対して支持する脚部２０と、前記使用者の胸から腹にかけての少なくとも一部分を支持する胴部前面支持部と、前記胴部前面支持部４０を前記鞍部もしくは脚部に固定するように支持する縦フレーム３０とから立ち作業椅子を構成する。【選択図】図３
0003119088.tif 000002
【実用新案登録請求の範囲】
【請求項１】
想定される使用者が跨った状態で、股間及び／又は太腿の付け根の内側を支持する鞍部と、
前記使用者の足の裏が設置面に着き、かつ、ひざが略伸びる高さに前記鞍部を設置面に対して支持する脚部と、
前記使用者の胸から腹にかけての少なくとも一部分を支持する胴部前面支持部と、
前記胴部前面支持部を前記鞍部もしくは脚部に固定するように支持する縦フレームと  
を有する立ち作業椅子。
【請求項２】
前記縦フレームに前記使用者の顎を載せる顎支持部をさらに設けた請求項１に記載の立ち作業椅子。
【請求項３】
前記胴部前面支持部は、胸を支持する胸当て部と腹を支持する腹当て部とからなる請求項１又は２に記載の立ち作業椅子。
【請求項４】
前記縦フレームは前後に回動可能であり、少なくとも２以上の回動位置で固定する回動固定手段を有する請求項１から３のいずれか１項に記載の立ち作業椅子。
【請求項５】
前記脚部は上下方向に伸縮可能であり、少なくとも２以上の伸縮位置で固定する伸縮固定手段を有する請求項１から４のいずれか１項に記載の立ち作業椅子。
【考案の詳細な説明】
【技術分野】
【０００１】
本考案は、ほぼ立ったような状態で跨って使用する立ち作業椅子に関する。
【背景技術】
【０００２】
腰への負担は座っているよりも立っている状態の方が少ないことから、作業をする際にはできるだけ立った状態に近い形で座る椅子が望ましい。下記特許文献１、２には立ち仕事をするための椅子が開示されている。このような椅子の多くはサドル型をしており、使用者の足裏が床に着き、また、ほぼ膝が伸びた状態で座ることができる高さに設定されている。
また、臀部以外の部位により上半身の荷重の一部を支持することで腰への負担を軽減することができると考えられる。下記特許文献３には椅子に座った使用者の顎を支持する考案が開示され、下記特許文献４には、椅子に座った使用者の腹を支持する考案が開示され、下記特許文献５には、椅子に座った使用者の胸を支持する考案が開示されている。
【特許文献１】特開２０００−２７９７２号公報
【特許文献２】実開平５−７６３６５号公報
【特許文献３】特開２００２−１１９５２６号公報
【特許文献４】特開２００２−１２５８０３号公報
【特許文献５】特開２００４−４９８１６号公報
【考案の開示】
【考案が解決しようとする課題】
【０００３】
上記特許文献１、２に記載されている椅子はほぼ立った状態に近いものではあるが、臀部により上半身の荷重を支え、脚は前方に存するものである。この結果として骨盤が後傾し、上半身が前傾することにより骨盤と背骨の傾きが一致せず、骨盤には真直ぐな力がかからないので、結局、腰への負担が生じてしまう。上記の特許文献３、４、５に記載の考案も腰への負担は軽減できると考えられるが、上半身の荷重を臀部で支持するためには骨盤は前傾するので、やはり骨盤は真直ぐに上半身の荷重を支えることができず腰への負担は残ってしまう。
そこで、本考案は、立った姿勢に近いかたちを実現することにより腰への負担をより低減させる立ち作業椅子を提供することを課題とする。
【課題を解決するための手段】
【０００４】
上記課題を解決するために、本考案は次のような構成を有する。
請求項１に記載の考案は、想定される使用者が跨った状態で、股間及び／又は太腿の付け根の内側を支持する鞍部と、前記使用者の足の裏が設置面に着き、かつ、ひざが略伸びる高さに前記鞍部を設置面に対して支持する脚部と、前記使用者の胸から腹にかけての少なくとも一部分を支持する胴部前面支持部と、前記胴部前面支持部を前記鞍部もしくは脚部に固定するように支持する縦フレームとを有する立ち作業椅子である。
請求項２に記載の考案は、前記立ち作業椅子において、前記縦フレームに前記使用者の顎を載せる顎支持部をさらに設けたものである。
請求項３に記載の考案は、前記立ち作業椅子において、前記胴部前面支持部は、胸を支持する胸当て部と腹を支持する腹当て部とからなるものである。
請求項４に記載の考案は、前記立ち作業椅子において、前記縦フレームは前後に回動可能であり、少なくとも２以上の回動位置で固定する回動固定手段を有するものである。
請求項５に記載の考案は、前記立ち作業椅子において、前記脚部は上下方向に伸縮可能であり、少なくとも２以上の伸縮位置で固定する伸縮固定手段を有するものである。
【考案の効果】
【０００５】
請求項１に記載の考案は、鞍部に跨った状態で上半身の荷重を股間から太腿の付け根内側の部分で支持し、膝をほぼ伸ばした状態で脚は下方に向かうので骨盤が後傾することがなく、より立ったような状態に近い形で座ることができるので、腰への負担を軽減することができる。また、股間から太腿の付け根内側の部分で上半身の荷重を支持すると臀部で支持する場合に比較して不安定になるが、胴部前面支持部が使用者の胸から腹にかけての部分を支持することにより長時間安定した姿勢を維持することができ、また、腰へかかる荷重も軽減することができる。
請求項２に記載の考案は、使用者の顎を支持することで前傾時に頭部の荷重が首および腰にかかる割合を減少させることができ、さらに、楽に座ることが可能となる。
請求項３に記載の考案は、腹当て部により腹を支持し、胸当て部により胸を支持することで、荷重が胸と腹とに分散されることで、各部位へかかるの圧迫を軽減することができる。
請求項４に記載の考案は、前記縦フレームの角度を調節できるので、状況に応じて座った際の上半身の角度を変えることができる。
請求項５に記載の考案は、脚部の長さを調節できるので、使用者の脚の長さに応じて高さを変えることでより多くの使用者に対応することができる。
【考案を実施するための最良の形態】
【０００６】
以下、本考案の実施形態について、図面を参照しながら説明する。
図１に本実施形態に係る立ち作業椅子Ｘの斜視図を示し、図２、３、４、５にぞれぞれ立ち作業椅子Ｘの正面図、側面図、背面図、平面図を示す。立ち作業椅子Ｘは鞍部１０、脚部２０、縦フレーム３０、胴部前面支持部４０、顎支持部５０とから構成される。
鞍部１０は、想定される使用者が跨った状態で、股間と太腿の付け根の内側を支持するものであり、細長い箱状体であって、両側面は太腿の内側に沿うように大きく面取りが施されている。鞍部の内部は、木製もしくは鉄製の心材を有し、この心材の上面から側面にかけては柔らかいクッションが取り付けられている。
脚部２０は、鞍部１０に跨った使用者の足の裏が立ち作業椅子Ｘの設置面に着き、かつ、ひざが略伸びる高さに前記鞍部１０を設置面に対して支持するものであり、伸縮可能なように嵌合する上部パイプ２１及び下部パイプ２２、下部パイプ２２を支持する５本の略水平に対称に延びる棒体より形成される支持足２３からなる。上部パイプ２１の内径と下部パイプ２２の外径はほぼ一致するとともに、上部パイプ２１内部に下部パイプ２２を押し出す方向にガスシリンダーが内蔵され、また、上部パイプ２１と下部パイプ２２は抜けないように形成されている。そして、下部パイプ２２はバネにより下方に付勢されるレバー２１ａにより操作される伸縮固定機構により固定および解放できるようになっている。すなわち、レバー２１ａを上方に位置させると固定が解除され上部パイプ２１は下部パイプ２２に沿って移動可能となり、レバー２１ａをバネの付勢に任せて下方に位置させると伸縮固定機構により上部パイプ２１は下部パイプ２２の任意の位置で固定される。また、支持足２３を構成する棒状体の裏面先端部にはそれぞれキャスター２３ａが設けられている。
【０００７】
縦フレーム３０は、下部フレーム３１と上部フレーム３２とから形成される。下部フレーム３１は鞍部１０内部の心材に固定されるやや後方側に傾いて上方に延びる２本のパイプにより形成され、上部フレーム３２は、下部フレーム３１を形成するそれぞれのパイプの先端に回動機構３３を介して伸びる、下部フレーム３１を形成するパイプと同径の２本のパイプから形成されている。回動機構３３は、下部フレーム側にラチェット部材が設けられるとともに、上部フレーム側にこのラチェット部材に係合する係止爪を有する係合部材が設けられ、ラチェット部材と係合部材を連結する枢軸に係止爪の係合を規制するカム板を設けることにより、上部フレームを前方側に倒した状態から起立するように回動させることでラチェット機構により複数段階の回動位置で固定できるとともに、上部フレームの回動が後方へ傾き、さらに、所定位置を越えると、前記カムにより係合爪の係合が解除され上部フレームは前方へ倒すことができ、再び回動位置の調節ができるようになっている。このラチェットと係止爪は回動固定手段を構成する。
【０００８】
胴部前面支持部４０は、腹当て部４１と胸当て部４２とからなる。腹当て部４１は厚さのある板状体であり、取付面となる背面側は硬い木材もしくは合成樹脂材により形成される心材を有し、使用者に向う側である前面側には柔らかいクッションが取り付けられている。また、背面側の上辺近傍に前記縦フレーム３０の上部フレーム３２を形成するパイプの外周面に係合する穴を有する係合部４１ａがそれぞれの上部フレーム３２に対応して固定されている。係合部４１ａには貫通したボルト穴が設けられており、これに嵌合する後端に握りの付いたボルトよりなる押圧体４１ａａを有している。また、背面の下辺近傍には、上部フレーム３２を形成するパイプの表面に係合するような断面Ｕ字上の金具が設けられた棒材よりなる下部支持体４１ｂがそれぞれの上部フレーム３２に対応して設けられている。この係合部４１ａの押圧体４１ａａを緩めることで、腹当て部４１は上部フレーム３２に沿って移動可能となり、押圧体４１ａａを締めることで腹当て部４１は上部フレーム３２に固定することができる。胸当て部４２は後述する顎支持部５０と一体に形成される厚さのある板状体であり、背面側は硬い木材もしくは合成樹脂材により形成される心材を有し、使用者に向う側である前面側には柔らかいクッションが取り付けられている。
顎支持部５０は、厚さのある板状体であり、取付面となる下面側は硬い木材もしくは合成樹脂材により形成される心材を有し、上面側には柔らかいクッションが取り付けられている。そして、背面側の前方側には上部フレーム３２の先端に嵌合する穴がぞれぞれ設けられており、この穴に上部フレームが嵌合している。また、顎支持部５０の使用者側に位置する後縁部分には前述したように胸当て部４２が下垂するように一体に形成されている。
【０００９】
次に、以上のような構成を有する立ち椅子の使用方法を簡単に説明する。使用者は、鞍部１０に跨り、脚部２０のレバー２１ａを持ち上げて伸縮固定機構を解除し、股間から太腿の付け根の内側に上半身の荷重がかかった状態で足裏が設置面に着き、略膝が伸びる高さにし、レバー２１を離して鞍部１０の位置を伸縮固定機構により固定する。次に、縦フレーム３０を構成する上部フレーム３２を手前に引いて回動機構３３内のラチェットと爪部との係合を解いてから前方に倒し、その後、上部フレーム３２を手前側に回動させて立ち上げることでラチェット機構により上部フレーム３２の回動位置を調整し、固定する。さらに、腹当て部４１の係合部４１ａの押圧体４１ａａを緩めて腹当て部４１の高さを調節し、その後、押圧体４１ａａを締めて腹当て部４１を固定する。なお、鞍部１０の高さ、上部フレーム３２の回動角、腹当て部４１の高さの調整は、使用者が同じであれば一度行っておけば足りる。その後、使用者は、鞍部１０に股間と太腿の付け根の内側で体重をかけるとともに、腹当て部４１に腹を当接させ、胸当て部４２に胸を当接させ、さらに、顎支持部５０に顎を載せるようにする。このような座り方をすることで、ほぼ立った状態に近くなり、骨盤は垂直からやや前傾した傾きを持ち、これに連なる背骨の方向も骨盤の傾きと略同じとなるので、長時間座っても、臀部で座る場合に比較して腰への負担を小さくすることができる。
【図面の簡単な説明】
【００１０】
【図１】実施形態に係る立ち作業椅子の斜視図である。
【図２】実施形態に係る立ち作業椅子の正面図である。
【図３】実施形態に係る立ち作業椅子の側面図である。
【図４】実施形態に係る立ち作業椅子の背面図である。
【図５】実施形態に係る立ち作業椅子の平面図である。
【符号の説明】
【００１１】
Ｘ      立ち作業椅子
１０    鞍部
２０    脚部
３０    縦フレーム
３３    回動機構
４０    胴部前面支持部
４１    腹当て部
４２    胸当て部
５０    顎支持部
【図１】
0003119088.tif 000003
【図２】
0003119088.tif 000004
【図３】
0003119088.tif 000005
【図４】
0003119088.tif 000006
【図５】
0003119088.tif 000007